(57)【特許請求の範囲】
【請求項１】
奥行のある基板の正面左右両側端部を前側方に凸出形状に形成した起立部の上下各端部を円弧状に形成し、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近に，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部の中央部分に凹部をはさんで左右両側部に垂直凸部を形成し、この垂直凸部の端部に後側方に任意高さに起立する爪部を設けて成ることを特徴とする外壁板留め金具。
【請求項２】
奥行のある基板の正面左右両側端部を前側方に凸出形状に形成した起立部の上下各端部を円弧状に形成し、前記基板の上側縁部の中央部分に設けた凹部の角部に後側方に任意高さに起立する爪部を設け、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近に，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部の中央部分に凸部を形成して成ることを特徴とする外壁板留め金具。
【請求項３】
奥行のある基板の正面左右両側端部を前側方に凸出形状に形成した起立部の上下各端部を円弧状に形成し、前記基板の上側縁部の中央部分に設けた凹部の角部に後側方に任意高さに起立する爪部を設け、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近に，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部の中央部分に凹部をはさんで左右両側部に垂直凸部を形成し、この垂直凸部の端部に後側方に任意高さに起立する爪部を設けて成ることを特徴とする外壁板留め金具。
【請求項４】
奥行のある基板の正面左右両側端部を前側方に凸出形状に形成した起立部の上下各端部を円弧状に形成し、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近に，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部分は上方向に，左右両側部は下方向に曲折形成し、前記基板の上側部の適所に後側方に任意高さに起立する爪部を設けて成ることを特徴とする外壁板留め金具。
【発明の詳細な説明】
【技術分野】
【０００１】
本発明は、外壁板用の留め付け金具に関するものである。
【背景技術】
【０００２】
従来セメント系無機質板等から成る外壁板を下地材に取付け固定するために利用する留め付け金具にあっては、国内の大手外壁板メーカーの製品に合わせた金具を提供するものとして、次に挙げるような特許文献がある。
【０００３】
この中で特に特許文献１によれば、わが国に現存する大手２社の外壁板メーカーを挙げ、これらに対応できる留め付け金具であることを強調しているが、本発明にあってはその他の外壁板メーカーの製品にも対応することができる留め付け金具を提供することを目的とするものである。
【先行技術文献】
【特許文献】
【０００４】
【特許文献１】登録実用新案第３１２５４７３号公報
【特許文献２】登録実用新案第３１５３２９９号公報
【特許文献３】特許第３３８７７３４号公報
【特許文献４】特許第３５４９４８０号公報
【特許文献５】特許４０２５２６９号公報
【発明の概要】
【発明が解決しようとする課題】
【０００５】
しかしながら、これらの留め付け金具の構造は、所定大きさと厚さの外壁板を上下位置に掛止めたり載置したりして取付ける場合にあって、定位置に確保しておくための安定性に乏しかったことに鑑み、これを改良することを目的とするものである。
【課題を解決するための手段】
【０００６】
本発明は、奥行のある基板の正面左右両側端部を前側方に凸出形状に形成した起立部の上下各端部を円弧状に形成し、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近において，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部の中央部分に凹部をはさんで左右両側部に垂直凸部を形成し、この垂直凸部の端部に後側方に起立する爪部を設けて成るものである。
【０００７】
本発明は、奥行のある基板の正面左右両側端部を前側方に凸出形状に形成した起立部の上下各端部を円弧状に形成し、前記基板の上側縁部の中央部分に設けた凹部の角部に後側方に起立する爪部を設け、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近において，両起立部の両下端部間の連携帯部を残して前記基板の下側面部を前記水平段部面から垂直中央部面の下端部まで水平状に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部の中央部分に凹部をはさんで左右両側部に垂直凸部を形成して成るものである。
【０００８】
本発明は、奥行のある基板の正面左右両側端部を前側方に凸出形状に形成した起立部の上下各端部を円弧状に形成し、前記基板の上側縁部の中央部分に設けた凹部の角部に後側方に起立する爪部を設け、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近において，両起立部の両下端部間の連携帯部を残して前記基板の下側面部を前記水平段部面から垂直中央部面の下端部まで水平に切開き、この切開いた下側面部を前記水平段部面から垂直中央部面の下端部において両起立部より前側方に水平に突出形成した水平面部の先端部をその中央部は上方向に，左右両側部は下方向に曲折形成し、前記両起立部の両下端部間の連携帯部分の中央部に凹部をおき左右両側部に垂直凸部を形成し、この垂直凸部の端部に後側方に起立する爪部を設けて成るものである。
【０００９】
本発明は、奥行のある基板の正面左右両側端部を前側方に凸出形状に形成した起立部の上下各端部を円弧状に形成し、前記基板の正面上側面部の複数個所に上端から下端に傾斜角度面を形成した凸起部を設け、この各凸起部の上側部に小径通孔を，下側部に大径通孔を設け、前記基板の上側面部に形成した凸起部の底面部は基板より前側方に突出した水平段部面に位置し、前記左右両側端部に形成した起立部の中央部分付近において，両起立部の両下端部間の連携帯部を残して前記基板の下側面部を前記水平段部面から垂直中央部面の下端部まで水平に切開き、この切開いた下側面部を前記水平段部面から垂直中央部面の下端部において両起立部より前側方に水平に突出形成した水平面部の先端部をその中央部分は上方向に，左右両側部は下方向に曲折形成し、前記基板の上側部の適所に後側方に起立する爪部を設けて成るものである。
【発明の効果】
【００１０】
本発明の構成上の特徴は、基板の左右両起立部の下端部間の連携帯部に設けた垂直凸部や，基板の上側縁部の中央部に設けた凹部の角部や，前記垂直凸部と凹部角部との両部や，基板の上側部適所に、後側方に爪部を突設して成るものであるため、この爪部がスパイクとなって下地材に食い込み仮止めとともに滑り止め作用を発揮することができ、これによって金具が傾いたり浮いたりする遊びを抑制して外壁板の横滑りや縦滑りを阻止することができるようになる。
【００１１】
また、前記爪部の高さは０．５ｍｍ程度のものであるため、本留め付け金具は下地材への取り付けに十分な仮止めとともに滑り止め効果を発揮することができるのである。
【図面の簡単な説明】
【００１２】
【図１】第１実施例の斜視図
【図２】同上の正面図
【図３】図２の要部の拡大正面図
【図４】同上の右側面図
【図５】図２Ａ−Ａ線の拡大断面図
【図６】第２実施例の斜視図
【図７】同上の正面図
【図８】図７の要部の拡大正面図
【図９】図７Ｂ−Ｂ線の拡大断面図
【図１０】第３実施例の斜視図
【図１１】同上の正面図
【図１２】（Ａ）は図１１の円内上部分の拡大正面図、（Ｂ）は図１１の円内下部分の拡大正面図
【図１３】図１１Ｃ−Ｃ線の拡大断面図
【図１４】第４実施例の斜視図
【図１５】同上の正面図
【図１６】図１５Ｄ−Ｄ線の断面図
【発明を実施するための形態】
【００１３】
本発明にあっては、次に説明するとおり、４つの実施例を有するものであるが、いずれの例にあっても、本体上の任意箇所に後側方に突設している爪部が下地材に若干食い込み仮止めとなるとともに滑り止め作用をするものであるから、以下、各実施例についての仮止め状態を説明する。
【００１４】
第１実施例にあっては、基板の左右両起立部の両下端部間の連携帯部の中央部においた凹部の左右両側部に設けた垂直凸部の各端部に後側方に起立した爪部を下地材に対しスパイクとして仮止め作用をする。
【００１５】
第２実施例にあっては、基板の上側縁部の中央部に設けた凹部の角部に後側方に起立した爪部をスパイクとして下地材に対し仮止め作用をする。
【００１６】
第３実施例にあっては、前記第１，第２の両実施例における上下両部における爪部をスパイクとして下地材に対し仮止め作用をする。
【００１７】
第４実施例にあっては、基板の上側部の任意箇所に爪部を後側方に起立した爪部がスパイクとして下地材に対し仮止め作用をする。
【００１８】
各実施例における爪部の高さは、仮止めして滑り止め効果を発揮するものとしては、０．３〜０．６ｍｍとすることが望ましいが、この数値は目安にすぎない。
【実施例１】
【００１９】
第１実施例について説明する。（図１乃至図５参照）
【００２０】
奥行のある基板１の正面左右両側端部を前側方に凸出形状に形成した起立部２，２の上下各端部を円弧形３，３，３，３に形成する。
【００２１】
前記基板１の正面上側面部の三箇所に上端から下端に傾斜角度面を形成した凸起部４，４，４を設け、この各凸起部の上側部には小径の通孔５，５，５を下側部には大径の通孔６，６，６を設ける。
【００２２】
前記基板１の上側面部に形成した凸起部４，４，４の底面部４’，４’，４’は、基板より前側方に突出した水平段部面７に位置する。
【００２３】
前記左右両側端部に形成した起立部２，２の中央部分付近において、両起立部の両下端部間の連携帯部８を残して前記基板の下側面部９を，前記水平段部面７から垂直中央部面１０の下端部まで水平状に切開く。
【００２４】
この切開いた下側面部９を前記段部垂直中央部面１０の下端部において、前記左右両起立部２，２より前側方に適当長さを水平に突出形成した水平面部１１の先端部を、その中央部１２は適当な傾斜角度の上方向に，左右両側部１３，１３は下方向に段部１３’，１３’をつけて垂直にそれぞれ曲折形成する。
【００２５】
前記両起立部２，２の両下端部間の連携帯部８の中央部分に凹部１４をはさんで左右両側部に垂直凸部１５，１５を形成し、この垂直凸部の各端部には後側方に任意高さに起立する爪部１６，１６，１６，１６を設ける。
【実施例２】
【００２６】
第２実施例について説明する。（図６乃至図９参照）
【００２７】
奥行のある基板１の正面左右両側端部を前側方に凸出形状に形成した起立部２，２の上下各端部を円弧形３，３，３，３に形成する。
【００２８】
前記基板１の上側縁部の中央部分をはさんで左右両側部に設けた凹部１８，１８の各角部には後側方に任意高さに起立する爪部１９，１９，１９，１９を設ける。
【００２９】
前記基板１の正面上側面部の複数個所に上端から下端に傾斜角度面を形成した凸起部４，４，４を設ける。
【００３０】
この各凸起部４，４，４の上側部に小径通孔５，５，５を，下側部に大径通孔６，６，６を設ける。
【００３１】
前記基板１の上側面部に形成した凸起部４，４，４の底面部４’，４’，４’は、基板１より前側方に突出した水平段部面７に位置する。
【００３２】
前記左右両側端部に形成した起立部２，２の中央部分付近において、両起立部２，２の両下端部間の連携帯部８を残して前記基板１の下側面部９を前記水平段部面７から垂直中央部面１０の下端部まで水平状に切開く。
【００３３】
この切開いた下側面部９を前記水平段部面７から垂直中央部面１０の下端部において、前記左右両起立部２，２より前側方に適当長さを水平に突出形成した水平面部１１の先端部を、その中央部１２は適当な傾斜角度の上方向に，左右両側部１３，１３は下方向に段部１３’，１３’をつけて垂直にそれぞれ曲折形成する。
【００３４】
前記両起立部２，２の両下端部間の連携帯部８の中央部分に凸部１７を形成する。
【実施例３】
【００３５】
第３実施例について説明する。（図１０乃至図１３参照）
【００３６】
奥行のある基板１の正面左右両側端部を前側方に凸出形状に形成した起立部２，２の上下各端部を円弧状に形成する。
【００３７】
前記基板１の上側縁部の中央部分をはさんで左右両側部に設けた凹部１８，１８の各角部には後側方に任意高さに起立する爪部１９，１９，１９，１９を設ける。
【００３８】
前記基板１の正面上側面部の複数個所に上端から下端に傾斜角度面を形成した凸起部４，４，４を設ける。
【００３９】
この各凸起部４，４，４の上側部に小径通孔５，５，５を，下側部に大径通孔６，６，６を設ける。
【００４０】
前記基板１の上側面部に形成した凸起部４，４，４の底面部４’，４’，４’は、基板１より前側方に突出した水平段部面７に位置する。
【００４１】
前記左右両側端部に形成した起立部２，２の中央部分付近において、両起立部２，２の両下端部間の連携帯部８を残して前記基板１の下側面部９を前記水平段部面７から垂直中央部面１０の下端部まで水平状に切開く。
【００４２】
この切開いた下側面部９を前記水平段部面７から垂直中央部面１０の下端部において、前記左右両起立部２，２より前側方に適当長さを水平に突出形成した水平面部１１の先端部を、その中央部１２は適当な傾斜角度の上方向に，左右両側部１３，１３は下方向に段部１３’，１３’をつけて垂直にそれぞれ曲折形成する。
【００４３】
前記両起立部２，２の両下端部間の連携帯部８の中央部分に凹部１４をはさんで左右両側部１３，１３に垂直凸部１５，１５を形成し、この垂直凸部の各端部には後側方に任意高さに起立する爪部１６，１６，１６，１６を設ける。
【実施例４】
【００４４】
第４実施例について説明する。（図１４乃至図１６参照）
【００４５】
奥行のある基板１の正面左右両側端部を前側方に凸出形状に形成した起立部２，２の上下各端部を円弧状に形成する。
【００４６】
前記基板１の正面上側面部の複数個所に上端から下端に傾斜角度面を形成した凸起部４，４，４を設ける。
【００４７】
この各凸起部４，４，４の上側部に小径通孔５，５，５を，下側部に大径通孔６，６，６を設ける。
【００４８】
前記基板１の上側面部に形成した凸起部４，４，４の底面部４’，４’，４’は、基板１より前側方に突出した水平段部面７に位置する。
【００４９】
前記左右両側端部に形成した起立部２，２の中央部分付近において、両起立部２，２の両下端部間の連携帯部８を残して前記基板１の下側面部９を前記水平段部面７から垂直中央部面１０の下端部まで水平状に切開く。
【００５０】
この切開いた下側面部９を前記水平段部面７から垂直中央部面１０の下端部において、前記両起立部２，２より前側方に適当長さを水平に突出形成した水平面部１１の先端部を、その中央部１２は適当な傾斜角度の上方向に，左右両側部１３，１３は下方向に段部１３’，１３’をつけて垂直にそれぞれ曲折形成する。
【００５１】
前記基板１の上側部適所には後側方に任意高さに起立する爪部２０，２０を設ける。
【００５２】
図５，図９，図１３，図１６において、ａは下地材，ｂは外壁材を示す。
【符号の説明】
【００５３】
１                        基板
２，２                    起立部
３，３，３，３            円弧形
４，４，４                凸起部
４’，４’，４’          底面部
５，５，５                小径通孔
６，６，６                大径通孔
７                        水平段部面
８                        連携帯部
９                        下側面部
１０                      垂直中央部面
１１                      水平面部
１２                      中央部
１３，１３                左右両側部
１３’，１３’            段部
１４                      凹部
１５，１５                垂直凸部
１６，１６，１６，１６    爪部
１７                      凸部
１８，１８                凹部
１９，１９，１９，１９    爪部
２０，２０                爪部
【図１】
0005745334.tif 000002
【図２】
0005745334.tif 000003
【図３】
0005745334.tif 000004
【図４】
0005745334.tif 000005
【図５】
0005745334.tif 000006
【図６】
0005745334.tif 000007
【図７】
0005745334.tif 000008
【図８】
0005745334.tif 000009
【図９】
0005745334.tif 000010
【図１０】
0005745334.tif 000011
【図１１】
0005745334.tif 000012
【図１２】
0005745334.tif 000013
【図１３】
0005745334.tif 000014
【図１４】
0005745334.tif 000015
【図１５】
0005745334.tif 000016
【図１６】
0005745334.tif 000017